(57)【要約】【課題】操作用ハンドルを有する乳母車に対してレインカバーを容易に装着する。【解決手段】乳母車用のレインカバー４０は、前面４１と一対の側面４２と、背面４３とを備える。各側面４２には一対のスリット４６ａ、４６ｂが設けられ、側面４２はスリット４６ａ、４６ｂにより側面本体４２Ａとフラップ４５とに区画される。乳母車の操作用ハンドル３０は、前方スリット４６ａまたは後方スリット４６ｂ内に挿入される。【選択図】図３
2014213788.tif 000002
【特許請求の範囲】
【請求項１】
操作用ハンドルを含む乳母車本体と、幌とを有する乳母車に装着される乳母車用のレインカバーにおいて、
前面と、
前面に連結された一対の側面と、
前面および各側面に連結された背面とを備え、
各側面に下端から上方へ延びるとともに操作用ハンドルが挿入されるスリットが形成されていることを特徴とする乳母車用のレインカバー。
【請求項２】
操作用ハンドルは乳母車本体に、前方位置と後方位置との間で揺動自在に取付けられ、
各側面に下端から上方へ延びるとともに、各側面を側面本体とフラップとに分離する一対のスリットが形成され、前方位置にある操作用ハンドルは前方のスリット内に挿入され、後方位置にある操作用ハンドルは後方のスリット内に挿入されることを特徴とする請求項１記載の乳母車用のレインカバー。
【請求項３】
各側面に設けられた各スリット近傍の側面本体およびフラップのうち、一方に係合部が設けられ、他方に係合部と係合する係止部が設けられ、当該係合部と係止部とを係合させることにより当該スリットを閉じることを特徴とする請求項２記載の乳母車用のレインカバー。
【請求項４】
前面の少なくとも一部は透明材料からなることを特徴とする請求項１乃至３のいずれか記載の乳母車用のレインカバー。
【請求項５】
前面と少なくとも一方の側面は分断線を介して分断され、当該分断線はファスナにより閉じられることを特徴とする請求項１乃至４のいずれか記載の乳母車用のレインカバー。
【請求項６】
ファスナの上端に開口が形成され、当該ファスナの開口は覆い片により外側から覆われていることを特徴とする請求項５記載の乳母車用のレインカバー。
【請求項７】
各側面の側面本体のうち、フラップ上方の部分に、１〜３ｍｍの大きさをもつ複数の開孔が設けられていることを特徴とする請求項２乃至６のいずれか記載の乳母車用のレインカバー。
【請求項８】
側面本体に設けられた各開孔は、１〜３ｍｍの内径をもつ円形形状をもつことを特徴とする請求項７記載の乳母車用のレインカバー。
【請求項９】
操作用ハンドルを含む乳母車本体と、
乳母車本体に取付けられた幌と、
乳母車本体および幌を覆うレインカバーとを備え、
レインカバーは前面と、
前面に連結された一対の側面と、
前面および各側面に連結された背面とを備え、
各側面に下端から上方へ延びるとともに操作用ハンドルが進入するスリットが形成されていることを特徴とする乳母車。
【請求項１０】
操作用ハンドルは乳母車本体に、前方位置と後方位置との間で揺動自在に取付けられ、
各側面に下端から上方へ延びるとともに、各側面を側面本体とフラップとに分離する一対のスリットが形成され、前方位置にある操作用ハンドルは前方のスリット内に挿入され、後方位置にある操作用ハンドルは後方のスリット内に挿入されることを特徴とする請求項９記載の乳母車。
【発明の詳細な説明】
【技術分野】
【０００１】
本発明は、乳母車に取り付けられる乳母車用のレインカバーおよび乳母車に関する。
【背景技術】
【０００２】
通常、乳母車は操作用ハンドルを含む乳母車本体と、乳母車本体に取付けられた幌とを有している。
【０００３】
このような乳母車には、乳母車本体と、幌とを覆ってレインカバーが装着されることがある。
【先行技術文献】
【特許文献】
【０００４】
【特許文献１】特開２００７−０６２４３７号公報
【発明の開示】
【発明が解決しようとする課題】
【０００５】
ところで、乳母車においては、乳母車本体の操作用ハンドルは、揺動自在に取付けられているが、操作用ハンドルの位置によってはレインカバーを装着することがむずかしい場合がある。
【０００６】
本発明は、このような点に鑑みてなされたものであり、操作用ハンドルの位置によらず乳母車に容易かつ簡単に装着することができる乳母車用の幌および乳母車を提供することを目的とする。
【課題を解決するための手段】
【０００７】
本発明は、操作用ハンドルを含む乳母車本体と、幌とを有する乳母車に装着される乳母車用のレインカバーにおいて、前面と、前面に連結された一対の側面と、前面および各側面に連結された背面とを備え、各側面に下端から上方へ延びるとともに操作用ハンドルが挿入されるスリットが形成されていることを特徴とする乳母車用のレインカバーである。
【０００８】
本発明は、操作用ハンドルは乳母車本体に、前方位置と後方位置との間で揺動自在に取付けられ、各側面に下端から上方へ延びるとともに、各側面を側面本体とフラップとに分離する一対のスリットが形成され、前方位置にある操作用ハンドルは前方のスリット内に挿入され、後方位置にある操作用ハンドルは後方のスリット内に挿入されることを特徴とする乳母車用のレインカバーである。
【０００９】
本発明は、各側面に設けられた各スリット近傍の側面本体およびフラップのうち、一方に係合部が設けられ、他方に係合部と係合する係止部が設けられ、当該係合部と係止部とを係合させることにより当該スリットを閉じることを特徴とする乳母車用のレインカバーである。
【００１０】
本発明は、前面の少なくとも一部は透明材料からなることを特徴とする乳母車用のレインカバーである。
【００１１】
本発明は、前面と少なくとも一方の側面は分断線を介して分断され、当該分断線はファスナにより閉じられることを特徴とする乳母車用のレインカバーである。
【００１２】
本発明は、ファスナの上端に開口が形成され、当該ファスナの開口は覆い片により外側から覆われていることを特徴とする乳母車用のレインカバーである。
【００１３】
本発明は、各側面の側面本体のうち、フラップ上方の部分に、１〜３ｍｍの大きさをもつ複数の開孔が設けられていることを特徴とする乳母車用のレインカバーである。
【００１４】
本発明は、側面本体に設けられた各開孔は、１〜３ｍｍの内径をもつ円形形状をもつことを特徴とする乳母車用のレインカバーである。
【００１５】
本発明は、操作用ハンドルを含む乳母車本体と、乳母車本体に取付けられた幌と、乳母車本体および幌を覆うレインカバーとを備え、レインカバーは前面と、前面に連結された一対の側面と、前面および各側面に連結された背面とを備え、各側面に下端から上方へ延びるとともに操作用ハンドルが進入するスリットが形成されていることを特徴とする乳母車である。
【００１６】
本発明は、操作用ハンドルは乳母車本体に、前方位置と後方位置との間で揺動自在に取付けられ、各側面に下端から上方へ延びるとともに、各側面を側面本体とフラップとに分離する一対のスリットが形成され、前方位置にある操作用ハンドルは前方のスリット内に挿入され、後方位置にある操作用ハンドルは後方のスリット内に挿入されることを特徴とする乳母車である。
【発明の効果】
【００１７】
本発明によれば、操作用ハンドルを有する乳母車に対しても容易かつ簡単にレインカバーを装着することができる。
【図面の簡単な説明】
【００１８】
【図１】図１は、本発明の一実施の形態によるレインカバーが装着される乳母車であって後方位置にある操作用ハンドルを有する乳母車を示す斜視図である。
【図２】図２は、本発明の一実施の形態によるレインカバーが装着される乳母車であって前方位置にある操作用ハンドルを有する乳母車を示す斜視図である。
【図３】図３（ａ）〜（ｄ）は、レインカバーの装着動作を説明するための動作説明図である。
【図４】図４（ａ）〜（ｃ）は、操作用ハンドルの切換動作を説明するための動作説明図である。
【図５】図５は、操作用ハンドルのハンドルロック部の動作を説明する図である。
【図６】図６は、子供を乳母車に乗せ降しする動作を説明する図である。
【図７】図７は、レインカバーの側面に設けられた開孔を示す図である。
【図８】図８（ａ）（ｂ）は、レインカバーの側面に設けられたファスナを示す図である。
【図９】図９は、本発明の変形例を示すレインカバーを有する乳母車を示す概略図である。
【発明を実施するための形態】
【００１９】
以下添付図面を参照して本発明の一実施の形態について説明する。
【００２０】
図１乃至図９は本発明による乳母車用のレインカバーおよび乳母車の一実施の形態を説明するための図である。このうち、図１及び図２には、便宜上、後述するレインカバーが取外された状態の乳母車の全体構成が示されている。図１、図２および図３（ａ）〜（ｄ）に示すように、乳母車１０は、折り畳み可能な乳母車本体１１と、乳母車本体１１に装着された幌５０と、乳母車本体１１及び幌５０を覆うレインカバー４０と、を有している。図示された乳母車本体１１は、一対の前脚２２、一対の後脚２４、一対のアームレスト２８及び一対のリンク部材２６を有するフレーム部２０と、フレーム部２０に揺動軸３４を介して揺動可能に接続された操作用ハンドル３０と、を有している。乳母車本体１１の各前脚２２の下端には、車輪（前輪)１６が保持され、乳母車本体１１の各後脚２４の下端には、車輪（後輪)１８が保持されている。さらにフレーム部２０上には、座部２１ａと背部２１ｂとを有するシート２１が載置されている。
【００２１】
図１、図２及び図３（ａ）〜（ｄ）に示す乳母車１０では、前脚２２の上方端部および後脚２４の上方端部は、対応する側（左側または右側）に配置されたアームレスト２８に回動可能（揺動可能）に接続されている。また、第1 リンク材２６の上方部分が、対応する側（左側または右側) に配置されたアームレスト２８の後方部分に回動可能（揺動可能）に接続されている。
【００２２】
また、フレーム部２０は、左後脚２４と左第１リンク材２６とを連結する左第２リンク材２７、および、右後脚２４と右第１リンク材２６とを連結する右第２リンク材２７と、をさらに有している。各第２リンク材２７は、その一部分において後脚２４の中間部分に 回動可能（揺動可能）に接続され、他の部分において第1 リンク材２６の下方部分に回動可能に接続されている。
【００２３】
このような構成からなるフレーム部２０に対し、操作用ハンドル３０が揺動可能に接続されている。ハンドル３０は、Ｕ字の両端部を、対応する側の第２リンク材２７に回動可能（揺動可能）に接続されている。ハンドル３０は、図１に示す背面押し位置（後方位置）と、図２に示す対面押し位置（前方位置）と、にハンドルロック部３０ａによって固定される。ハンドル３０をフレーム部２０に対して揺動可能とする構成は、既知の構成、例えば、ＪＰ２００８−２５４６８８Ａに開示された構成を、採用することができる。また、そもそも図示された乳母車１０および乳母車本体１１の構成は例示に過ぎず、図示された例に代えて種々の構成を採用することができる。
【００２４】
また乳母車本体１１の各前脚２２間に、ステップ１９が設けられている。さらに一対のアームレスト２８の前端にガード部材２９が取付けられている。
【００２５】
なお、本明細書中において、乳母車１０、乳母車本体１１及び幌５０に対する「前」、「後」、「上」および「下」の用語は、特に指示がない場合、展開状態にある乳母車１０に乗車する乳幼児を基準とした「前」、「後」、「上」および「下」を意味する。したがって、乳母車１０、乳母車本体１１、幌５０、レインカバー４０に関して用いる「前後方向」とは、図１における紙面の左と右とを結ぶ方向に相当する。そして、特に指示がない限り、「前」とは、乗車した乳幼児が向く側であり、図１における紙面の左側が乳母車１０、乳母車本体１１、幌５０およびレインカバー４０の前後方向における前側となる。一方、乳母車１０、乳母車本体１１、幌５０およびレインカバー４０に関して用いる「上下方向」とは前後方向に直交するとともに乳母車１０の接地面に直交する方向である。したがって、乳母車１０の接地面が水平面である場合、「上下方向」とは鉛直方向をさす。また、乳母車１０、乳母車本体１１、幌５０およびレインカバー４０に関して用いる「幅方向」とは、「前後方向」および「上下方向」のいずれにも直交する横方向である。
【００２６】
次に、乳母車本体１１に装着された幌５０について説明する。図１に示す例では、幌５０は、アームレスト２８の後端に連結された第１リンク部材２６に着脱可能に装着されている。図１および図２に示すように、幌５０は、相対移動可能な複数の幌骨６０と、複数の幌骨６０によって支持された幌布５５と、複数の幌骨６０を相対移動可能に支持すると共に乳母車本体１１に着脱可能な幌取付部５１と、を備えている。このうち幌取付部５１には、突起状の係止要素５２が設けられており、この係止要素５２は、乳母車本体１１の第１リンク部材２６の筒状部２９に設けられた係止孔に挿入されている。
【００２７】
次に図３（ａ）〜（ｄ）により、乳母車本体１１及び幌５０を覆って設けられたレインカバー４０について説明する。
【００２８】
レインカバー４０は、乳母車本体１１の前方を覆う前面４１と、前面４１に連結された一対の側面４２、４２と、前面４１および各側面４２に連結された背面４３とを有している。
【００２９】
このうち前面４１の略全域が透明材料４１ａからなっている。また各側面４２には、その下端から上方に延びる一対のスリット４６ａ、４６ｂが設けられている。そして各側面４２はスリット４６ａ、４６ｂにより、スリット４６ａ、４６ｂ間に形成されたフラップ４５と、フラップ４５以外の部分である側面本体４２Ａとに分離されている。
【００３０】
そして各側面４２に設けられた一対のスリット４６ａ、４６ｂのうち、前方スリット４６ａ内に、前方位置にある操作用ハンドル３０が挿入され、後方スリット４６ｂ内に後方位置にある操作用ハンドル３０が挿入される。
【００３１】
また各側面４２の側面本体４２Ａのうち、フラップ４５上方に位置する部分は、透明材料４２ａからなっており、この側面本体４２Ａの透明材料４２ａの部分には、複数の円形形状をもつ開孔４８が設けられている（図３（ｄ）および図７参照）。この場合、透明材料４２ａに設けられた複数の開孔４８は、フラップ４５近傍に位置し、各々１〜３ｍｍの内径をもつ。各側面４２の透明材料４２ａに設けられた開孔４８は、レインカバー４０内部と、外気とを通気させるためのものである。また開孔４８は各々１〜３ｍｍの内径をもつ円形形状を有しているため、外部からの雨がレインカバー４０内に進入することを未然に防ぐことができる。すなわち、開孔４８が３ｍｍより大きな内径をもつ場合、外部からの雨がレインカバー４０内に進入することも考えられ、開孔４８が１ｍｍより小さな内径をもつ場合、通気機能を十分に果たすことはできない。このため本実施の形態においては、開孔４８は１〜３ｍｍの内径をもつ。
【００３２】
また、レインカバー４０の前面４１の下端両側には、各々フック６４ａを有する一対のバンド６４が取付けられている。この一対のバンド６４は、乳母車本体１１のステップ１９に巻付けられて、レインカバー４０を乳母車本体１１に固定するものである。
【００３３】
さらにまたレインカバー４０の各側面４２の後方部には、互いに連結されてレインカバー４０を乳母車本体１１に固定する一対の固定用ひも６５が取付けられている。
【００３４】
また各側面４２に設けられたスリット４６ａ、４６ｂ近傍の側面本体４２Ａとフラップ４５のうち、フラップ４５には係合部６１が設けられ、側面本体４２Ａにはフラップ４５の係合部６１と係合する係止部６２が設けられ、スリット４６ａ、４６ｂ近傍の側面本体４２Ａに設けられた係合部６１と、フラップ４５に設けられた係止部６２とを係合させることにより、各側面４２のスリット４６ａ、４６ｂを閉止することができる。
【００３５】
本実施の形態において、各側面４２のフラップ４５には左右に合計４つの係合部６１が設けられ、側面本体４２Ａには係合部６１と同数の係止部６２が設けられている。
【００３６】
さらにまた、レインカバー４０の前面４１と一方の側面４２との間、例えば前面４１と前方に向って右側の側面４２との間は、分断線を介して互いに分断されており、この分断線にはファスナ７２が設けられている。そしてこのファスナ７２により前面４１と前方に向って右側の側面との間が開閉されるようになっている。
【００３７】
前面４１と前方に向って右側の側面４２との間に設けられたファスナ７２の上端には、開口７２ａが形成されるが、このファスナ７２の開口７２ａを覆って覆い片７３が設けられている（図８（ａ）（ｂ）参照）。
【００３８】
すなわち図８（ａ）に示すように、本実施の形態においては、前面４１と側面４２との間の分断線に沿ってファスナ７２が設けられ、ファスナ７２の開口７２ａを覆って覆い片７３が設けられているためファスナ７２の開口７２ａから外部からの雨がレインカバー４０内に進入することを防ぐことができる。
【００３９】
すなわち、比較例として示す図８（ｂ）において、ファスナ７２の開口７２ａ上に覆い片７３を設けない場合、ファスナ７２の開口７２ａを介して外部の雨がレインカバー４０内に進入することも考えられるが、本実施の形態においてはファスナ７２の開口７２ａは覆い片７３により覆われるため、この開口７２ａからの雨の進入を防ぐことができる。
【００４０】
次にレインカバー４０の材質について述べる。レインカバー４０の前面４１に設けられた透明部材４１ａおよび側面４２の側面本体４２Ａに設けられた透明部材４２ａは、ポリオレフィンからなっている。さらにレインカバー４０のうち透明部材４１ａおよび４２ａ以外の部分は、撥水性および防水性を有するビニル材を用いることができる。
【００４１】
次にこのような構成からなる本実施の形態の作用について図３（ａ）（ｂ）（ｃ）〜図４（ａ）（ｂ）（ｃ）により述べる。
【００４２】
まず操作用ハンドル３０を含む乳母車本体１１を開き、かつ幌５０を開く（図３（ａ）参照）。このとき、操作用ハンドル３０は後方位置にある。
【００４３】
次に乳母車本体１１および幌５０を覆って、レインカバー４０がこれら乳母車本体１１および幌５０上に装着される。
【００４４】
次に図３（ｂ）に示すように、レインカバー４０の前面４１の下端両側に各々設けられた一対のバンド６４がステップ１９に巻付けられ、ステップ１９に巻付けられたバンド６４はフック６４ａにより係止される。このようにしてレインカバー４０の前面４１が乳母車本体１１のステップ１９に固定される。
【００４５】
次にレインカバー４０の各側面４２に設けられたフラップ４５の係合部６１を側面本体４２Ａに設けられた係止部６２に係合させる。
【００４６】
このようにして各側面４２に設けられた前方スリット４６ａおよび後方スリット４６ｂが閉じられる（図３（ｃ）参照）。この場合、後方位置にある操作用ハンドル３０は、各側面４２の後方スリット４６ｂ内に挿入された状態となり、この状態で、前方スリット４６ａおよび後方スリット４６ｂが閉じられる。また図３（ｃ）において、乳母車本体１１の下方部には荷物用かご７０が設置されている。
【００４７】
次にレインカバー４０が更に降下し、レインカバー４０の各側面４２に取付けられた固定用ひも６５が互いにしばられて連結され、このようにしてレインカバー４０の後方部分が乳母車本体１１に固定される（図３（ｄ）参照）。
【００４８】
このようにして、乳母車本体１１および幌５０を覆ってレインカバー４０が取付けられる。レインカバー４０は上述のようにその前面４１がバンド６４により乳母車本体１１のステップ１９に固定され、各側面４２の後方部が固定用ひも６５により乳母車本体１１に固定される。このためレインカバー４０を乳母車本体１１および幌５０に対して堅固に固定することができる。
【００４９】
また各側面４２に設けられたフラップ４５も、フラップ４５側の係合部６１と側面本体４２Ａ側の係止部６２により側面本体４２Ａに固定することができ、この場合、側面４２のスリット４６ａ、４６ｂは閉じられる。
【００５０】
次に図６に示すように、子供を乳母車１０内に乗せ降しする。この場合、レインカバー４０の前面４１と側面４２との間に設けられたファスナ７２を開く。次に前面４１と側面４２との隙間を大きく開いて、この開いた隙間から子供を乳母車１０内に乗せたり、あるいは降したりすることができる。
【００５１】
この場合、レインカバー４０内の幌５０をすこし上方へ持上げる。このことにより、乳母車１０内に子供を容易に乗せたり、降したりすることができる。
【００５２】
次に操作用ハンドル３０を後方位置から前方位置へ切り換える作用について図４（ａ）〜（ｃ）および図５により説明する。
【００５３】
まず乳母車１０の操作用ハンドル３０が後方位置にある状態で、フラップ４５の係合部６１を側面本体４２Ａの係止部６２から外す。次にフラップ４５を上方へ持上げておく（図４（ａ）参照）。
【００５４】
この状態で、操作用ハンドル３０を後方位置から前方位置まで揺動させる（図４（ｂ）参照）。次にフラップ４５を下方へ降し、前方スリット４６ａおよび後方スリット４６ｂ近傍に位置するフラップ４５の係合部６１を、側面本体４２Ａに設けられた係止部６２に係合する。
【００５５】
このようにしてフラップ４５を側面本体４５Ａに堅固に固定することができる（図４（ｃ）参照）。この場合、操作用ハンドル３０は側面４２のうち前方スリット４６ａ内に挿入される。
【００５６】
なお、図５に示すように、操作用ハンドル３０の切換え時には、操作用ハンドル３０に設けられたハンドルロック部３０ａを上方へ引き上げてハンドルロック部３０を解除する。この状態で操作用ハンドル３０を揺動させてハンドルロック部３０ａを下方へ降し、このようにしてハンドルロック部３０をロック状態とし、操作用ハンドル３０を堅固に固定する。
【００５７】
以上のように、本実施の形態によれば、操作用ハンドル３０が後方位置にあるとき、操作用ハンドル３０を側面４２の後方スリット４６ｂ内に挿入させ、係合部６１と係止部６２とを係合させてフラップ４５を側面本体４５Ａに固定する。また操作用ハンドル３０を揺動させて前方位置にもってきた場合、操作用ハンドル３０を側面の前方スリット４６ａ内に挿入させ、係合部６１と係止部６２とを係合させてフラップ４５を側面本体４５Ａに固定する。このようにして、揺動自在の操作用ハンドル３０を有する乳母車本体１１にレインカバー４０を容易に装着することができる。また、レインカバー４０を乳母車本体１１に装着した状態で操作用ハンドル３０を揺動させ、操作用ハンドル３０を容易かつ簡単に前方位置から後方位置へ揺動させることができる。
【００５８】
次に図９により本発明の変形例について説明する。
【００５９】
図９に示す変形例において、乳母車１０の乳母車本体１１は足カバー７５を有している。
【００６０】
他の構成は、図１乃至図８に示す実施の形態と略同一である。
【００６１】
図９に示す変形例において、図１乃至図８に示す実施の形態と同一部分には同一符号を付して詳細な説明は省略する。
【００６２】
図９において、乳母車本体１１は、子供の足を覆う足カバー７５を有している。この場合、レインカバー４０の前面４１下端に設けられたバンド６４同士を結合するフック６４ａを外す。このことにより、足カバー７５を有する乳母車本体１１に対してもレインカバー４０を容易に装着することができる。
【符号の説明】
【００６３】
１０  乳母車
１１  乳母車本体
２０  フレーム部
３０  操作用ハンドル
３０ａ  ハンドルロック部
４０  レインカバー
４１  前面
４１ａ  透明材料
４２  側面
４２Ａ  側面本体
４２ａ  透明材料
４３  後面
４５  フラップ
４６ａ  前方スリット
４６ｂ  後方スリット
４８  開孔
５０  幌
５５  幌布
６０  幌骨
６１  係合部
６２  係止部
７２  ファスナ
７３  覆い片
【図５】
2014213788.tif 000003
【図７】
2014213788.tif 000004
【図８】
2014213788.tif 000005
【図９】
2014213788.tif 000006
【図１】
2014213788.tif 000007
【図２】
2014213788.tif 000008
【図３】
2014213788.tif 000009
【図４】
2014213788.tif 000010
【図６】
2014213788.tif 000011